(57)【要約】【課題】複数の特定周波数の通信信号の受信強度及び受信品質により最適の基地局を選択することで、通信状態を最良とする無線移動局装置を提供する。【解決手段】複数の基地局装置と無線通信を行ない、各基地局装置の受信強度（ＲＳＳＩ）と受信品質（ＥＣＩＯ）を検出する通信部（１１）と、複数の基地局装置の各受信強度と受信品質に基づいて有効な基地局装置を選択し、選択した有効な基地局装置の各受信強度と受信品質をそれぞれ合算して合算値を求め、これらの合算値の中で最も良好な合算値をもつ基地局を選択する制御部（１２，１４）をもつ無線移動局装置。【選択図】図１
2011124654.tif 000002
【特許請求の範囲】
【請求項１】
複数の基地局装置と無線通信を行ない、各基地局装置の受信強度と受信品質を検出する通信部と、
前記複数の基地局装置の各受信強度と受信品質に基づいて有効な基地局装置を選択し、前記選択した有効な基地局装置の各受信強度と受信品質をそれぞれ合算して合算値を求め、これらの合算値の中で最も良好な合算値をもつ基地局を選択する制御部と、
を具備することを特徴とする無線移動局装置。
【発明の詳細な説明】
【技術分野】
【０００１】
この発明は、複数の基地局と無線通信を行なう無線移動局装置であって、複数の基地局から一つの基地局を選択して登録する無線移動局装置に関する。
【背景技術】
【０００２】
一般に、携帯電話等の移動型の無線通話装置の通信システムにおいては、無線通話装置である移動局は、複数の基地局の中から一つの基地局を選択し、選択した基地局との間で通信を行なう。すなわち、移動局装置は、移動局装置が提供する音声通話、データ通信等のサービスを提供可能にするため、電源投入時または場所移動等による隣接基地局の変更時、基地局と通信を行い基地局に対して移動局の情報を登録する必要がある。これらの基地局の存在を検出し、基地局との通信を実現するため、移動局は基地局から常時送信されている情報（以下報知情報）を参照する。複数の基地局からの報知情報が参照できる場合、どの基地局と通信を行うかは報知情報の受信品質または受信電波の強度を基準に行う場合が多い。
【０００３】
受信強度を基準にした場合、最も近隣する基地局が選択される場合が多いが、基地局選択方式によっては移動局が隣接基地局ではなく、最寄りの基地局よりも遠方の基地局を選択してしまう場合がある。この場合、移動局として不適切な動作をしているわけではないが、最寄りの基地局を選択した場合よりも基地局との距離が遠くなるため、無線通信時の送信電力が増加する場合がある。現在、移動局の電力供給手段はバッテリー等の蓄電器からが主流であるため、消費電力が増加すると移動局の使用可能時間が短くなり、使用者の使い勝手に影響を与えることになる。
【０００４】
また、従来の基地局選択方式として、他により条件の良い（受信品質が良い）基地局があったとしても、選択条件を満たす基地局が一つ検出できた場合に、その基地局を選択する方式がある。この場合、基地局選択処理時間が短縮できる利点はあるが、消費電力量を最小に抑制しようとすれば、改善の必要がある。
【０００５】
また、世界的に普及しつつあるＤＳ−ＣＤＭＡ方式において、周波数帯に依らず全ての周波数に対して基地局検出を実行すれば最適な基地局を検出可能になるが、７つの周波数帯（Band１〜Band７）が規定されているため、基地局検出に要する時間が多大となり使用者の使い勝手に影響を与えることになる。
【０００６】
また、特許文献１は、複数の基地局の中から電界強度の強い基地局を選択することにより、通信状態を安定させることができる技術を開示している。
【先行技術文献】
【特許文献】
【０００７】
【特許文献１】特開平８−１２６０４６号公報
【発明の概要】
【発明が解決しようとする課題】
【０００８】
ここで、上述した特許文献１の従来技術では、必ずしも最適な通信状態を実現するための基地局の選択処理を開示してはいない。
本発明は、複数の特定周波数の通信信号の受信強度及び受信品質により最適の基地局を選択することで、通信状態を最良とする無線移動局装置を提供することを目的とする。
【課題を解決するための手段】
【０００９】
課題を解決する一実施形態は、
複数の基地局装置と無線通信を行ない、各基地局装置の受信強度（ＲＳＳＩ）と受信品質（ＥＣＩＯ）を検出する通信部（１１）と、
前記複数の基地局装置の各受信強度と受信品質に基づいて有効な基地局装置を選択し、前記選択した有効な基地局装置の各受信強度と受信品質をそれぞれ合算して合算値を求め、これらの合算値の中で最も良好な合算値をもつ基地局を選択する制御部（１２，１４）と、を具備することを特徴とする無線移動局装置である。
【発明の効果】
【００１０】
複数の特定周波数の通信信号の受信強度および受信品質を検出し、これらの受信強度および受信品質の合算値に基づいて最良の基地局を選択することで、確実に消費電力を抑制し通信性能を確保することが可能となる。
【図面の簡単な説明】
【００１１】
【図１】本発明の一実施形態に係る通信システムの構成の一例を示すブロック図。
【図２】当該通信システムに含まれる移動局の構成の一例を示すブロック図。
【図３】当該通信システムの基地局の選択方法の一例を示すフローチャート。
【図４】当該通信システムにおける複数の基地局の一例を示す説明図。
【図５】当該通信システムにおける複数の基地局の判定結果の一例を示す説明図。
【図６】当該通信システムにおける複数の基地局の判定結果の一例を示す説明図。
【発明を実施するための形態】
【００１２】
以下、この発明の実施の形態について図面を参照して詳細に説明する。  
図１は、本発明の一実施形態に係る通信システムの構成の一例を示すブロック図である。本発明の一実施形態に係る通信システムは、移動局装置１と、移動局装置１と無線通信を行なう複数の基地局装置２，２’…と、基地局装置２に接続されている交換器３と、交換器３に接続されている通信網４を有している。
【００１３】
また、移動局装置１は、図２において、無線送受信部１１と、これに接続されているベースバンド処理部１２と、ベースバンド処理部１２の後段に設けられるアプリケーション部１３と、同じくベースバンド処理部１２の後段に設けられる呼制御部１４と、これらの後段に接続されて設けられるＬＣＤ（Liquid Crystal Display）等の表示部１５と、同じく後段に設けられるマイクロフォン等の音声入力部１６と、同じく後段に設けられるスピーカ等の音声出力部１７と、テンキー等の操作部１８を有している。
【００１４】
（動作）
このような構成を有する移動局装置１は、図３のフローチャートに従って、以下のように複数の基地局装置から通信相手となる基地局を選択する。ここでは、移動局装置の周辺に、電波の周波数、移動局受信強度、移動局受信品質を測定することができる無線基地局が合計８つ存在する場合を例として説明する。
【００１５】
移動局装置１の無線送受信部１１は、複数の周波数、例えば、受信可能な４つの周波数Ｆ１、Ｆ２、Ｆ３、Ｆ４をあらかじめ内部に保持している。また、同時に、移動局装置１の無線送受信部１１は、移動局装置１が有効な電波とする受信強度、受信品質の閾値も内部に保持している。測定した受信信号の受信強度、受信品質の一方または他方が極端に悪い値があれば、その受信信号の基地局装置は、有効電波検出の対象外とする。この実施形態では、閾値の一例として、受信強度を−８５ｄｂ以上、受信品質を−１５ｄｂｍ以上とする。
【００１６】
移動局装置１の無線送受信部１１は、あらかじめ内部に保持している受信可能な４つの周波数Ｆ１、Ｆ２、Ｆ３、Ｆ４の内の一つの特定周波数が指定する通信信号の基地局装置からの受信強度、受信品質を測定する（ステップＳ１１）。無線送受信部１１は、測定した受信強度と受信品質を予め保持している閾値と比較して、閾値であれば、ステップＳ１３に移動して、この通信信号に応じた基地局装置を有効な基地局として記憶領域に一時保存する（ステップＳ１３）。無線送受信部１１は、全ての周波数Ｆ１、Ｆ２、Ｆ３、Ｆ４に関して、別の特定周波数の変更しながら（ステップＳ１５）、この比較処理を順次行なっていく（ステップＳ１４）。
【００１７】
移動局装置１の無線送受信部１１は、全ての周波数Ｆ１、Ｆ２、Ｆ３、Ｆ４に関して、上記した比較処理を行い、一例として、図５に示すような受信強度、受信品質、閾値判定結果を得る。無線送受信部１１は、記憶領域に一時保存した基地局装置が全部無効であると判断すると、有効な基地局なしと判断する（ステップＳ１９）。図５の例では、４つの基地局装置が有効と判断されている。
【００１８】
次に、無線送受信部１１は、有効と判断した基地局装置に対応する受信強度と受信品質について、合算値を算出する（ステップＳ１７）。この一例を図６に示す。ただし、下記に示す通り、受信強度と受信品質の有効範囲は異なる。
受信品質の有効範囲→ ０ 〜 −１５ｄｂ （有効範囲１５）
受信強度の有効範囲→−２５ 〜−８５ｄｂｍ（有効範囲６０）
無線送受信部１１は、有効範囲の比率を同じにするため、この実施形態の場合、受信品質の値を一例として４倍して受信強度に合算する。受信強度と受信品質は０に近ければそれだけ良好な電波であることを示す。従って、無線送受信部１１は、合計した結果、値の小さいものを最適な基地局装置として選択する（ステップＳ１８）。
【００１９】
この実施形態においては、無線送受信部１１は、合算値−１００をもつ基地局Ｃ１を最適な基地局として選択した。基地局Ｃ１は、図６の値が示すように、受信強度、受信品質共に良好な値であり、不適切な基地局ではないことが分かる。
以上、図３のフローチャートおよび図４乃至図６の説明図を用いて説明したように、本発明によれば、無線基地局装置から発せられる特定周波数を持つ通信信号（有効電波）を、電波の受信強度と受信品質から検出することにより、最適な基地局を探索し、安定した無線通信環境を選択することが可能となる。
【００２０】
以上記載した様々な実施形態は複数同時に実施することが可能であり、これらの記載により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【符号の説明】
【００２１】
１…移動局、２…基地局、３…交換器、４…通信網、１１…無線送受信部、１２…ベースバンド処理部、１３…アプリケーション部、１４…呼制御部、１５…、１６…音声入力部、１７…音声出力部、１８…操作部。
【図１】
2011124654.tif 000003
【図２】
2011124654.tif 000004
【図３】
2011124654.tif 000005
【図４】
2011124654.tif 000006
【図５】
2011124654.tif 000007
【図６】
2011124654.tif 000008